(57)【要約】【課題】放射面の温度分布にムラを生じさせないようにして、快適な温熱環境を得ることが可能な空調システムを提供する。【解決手段】天井材または壁材の裏面に形成され適切に断熱された冷暖房空気循環風路５ａ、５ｂと、冷暖房空気循環風路５ａ、５ｂに循環させる冷暖房空気を熱交換する熱源３と、冷暖房空気を循環させる送風手段４と、冷暖房空気循環風路５ａ、５ｂの曲がり箇所に設けられたヘッダー２ａ、２ｂから成り、ヘッダー２ａ、２ｂ内部に設けた熱源３の対向位置に送風手段４を配設することにより、冷暖房空気が循環しやすくなり風路内の空気のよどみを防止し、放射面は均一な温度分布となり、快適な室内環境を得るものである。【選択図】図１
2008157519.tif 000002
【特許請求の範囲】
【請求項１】
天井材または壁材の裏面に形成され適切に断熱された冷暖房空気循環風路と、前記冷暖房空気循環風路に循環させる冷暖房空気を熱交換する熱源と、前記冷暖房空気を循環させる送風手段と、前記冷暖房空気循環風路の曲がり箇所に設けられたヘッダーから成り、前記ヘッダー内部に設けた前記熱源の対向位置に前記送風手段を配設したことを特徴とした放射冷暖房システム。
【請求項２】
送風手段は、熱源の対向位置のヘッダー内部に設けられたことを特徴とした請求項１に記載の放射冷暖房システム。
【請求項３】
熱源の対向位置のヘッダー内部に、もう１台の熱源を配設したことを特徴とした請求項１または２に記載の放射冷暖房システム。
【発明の詳細な説明】
【技術分野】
【０００１】
本発明は、天井面や壁面を冷却あるいは加熱して、熱放射による室内の冷暖房を行う放射冷暖房システムに関するものである。
【背景技術】
【０００２】
従来、この種の放射冷暖房システムは、天井材の裏面に天井面を形成する冷暖房空気循環風路とその両端部に設けたヘッダーから成るモジュールを２つ並列させて室内の天井部分に設置し、夫々の入口をダクトにより熱源と接続し、モジュールの入口に設けた送風機によって熱源で熱交換された空気を冷暖房空気循環風路に流し、放射により室内を快適な温熱環境にしている。（例えば、特許文献１参照）。
【０００３】
図３は、特許文献１に記載された従来の放射冷暖房システムと冷暖房空気の流れを示す斜視図を示すものである。図３に示すように、放射冷暖房システム１００は熱源１１０で熱交換された冷温風空気を吹き出しダクト１２０より吹き出し、入口側ヘッダー１３０に導入し、冷暖房空気循環風路１４０を通過させる。出口側ヘッダー１５０に流れ込んだ冷温風空気は、吹き出しダクト１２０と対角に配設してある吸込みダクト１６０より熱源１１０に導入され循環する。
【０００４】
ヘッダー１３０、１５０の断面積は冷暖房空気循環風路１４０に比べて十分に大きいので、ヘッダー１３０、１５０部分の圧損は、冷暖房空気循環風路１４０部分の圧損に比べ十分小さい。そのため、各冷暖房空気循環風路１４０の空気抵抗は略均一で流速はほぼ均一となる。
【０００５】
また、吹き出しダクト１２０と吸込みダクト１６０が対角に配設されていることで冷暖房空気循環風路１４０内の温度分布にムラが生じないようにし、放射面１７０の温度分布にムラが生じないようになっている。
【特許文献１】特開平５−１４９５８６号公報
【発明の開示】
【発明が解決しようとする課題】
【０００６】
しかしながら、前記従来の構成では、冷暖房空気循環風路の温度分布さらには、放射面温度分布にムラを生じさせないように吹き出し側ダクトと吸込み側ダクトを対角に配設すると、小さな空間（１４畳程度）では良いが、それ以上の大空間に施工すると冷暖房空気循環風路内に冷暖房空気の温度分布ムラが生じ、放射面の温度分布ムラにつながるという課題があった。
【０００７】
本発明は、前記従来の課題を解決するもので、大空間に施工しても冷暖房空気が循環しやすく風路内の空気のよどみを防止し、放射面は均一な温度分布となり、快適な室内環境を得ることを目的とするものである。
【課題を解決するための手段】
【０００８】
前記従来の課題を解決するために、本発明の放射冷暖房システムは、ヘッダー内部に設けた熱源の対向位置に送風手段を配設したものである。これによって、冷暖房空気が循環しやすく風路内の空気のよどみを防止し、放射面は均一な温度分布となり、快適な室内環境を得ることが可能となる。
【発明の効果】
【０００９】
本発明の放射冷暖房システムは、ヘッダー内部に設けた熱源の対向位置に送風手段を配設したものである。
【００１０】
これによって、冷暖房空気が循環しやすくなり、大空間に施工しても風路内の空気のよどみを防止し、放射面は均一な温度分布となり、快適な室内環境を得ることが可能となり、放射面の温度分布ムラが生じないようにすることができる。
【発明を実施するための最良の形態】
【００１１】
第１の発明は、天井材または壁材の裏面に形成され適切に断熱された冷暖房空気循環風路と、冷暖房空気循環風路に循環させる冷暖房空気を熱交換する熱源と、冷暖房空気を循環させる送風手段と、冷暖房空気循環風路の曲がり箇所に設けられたヘッダーから成り、ヘッダー内部に設けた熱源の対向位置に送風手段を配設することにより、冷暖房空気が循環しやすくなり、大空間に施工しても放射面の温度分布ムラが生じないようにすることができる。
【００１２】
第２の発明は、特に、第１の発明の送風手段を、熱源の対向位置のヘッダー内部に設けたことにより、冷暖房空気がより循環しやすくなり、大空間に施工しても放射面の温度分布ムラが生じないようにすることができる。
【００１３】
第３の発明は、特に、第１または第２の発明の熱源の対向位置のヘッダー内部に、もう１台の熱源を配設することにより、冷暖房空気が循環しやすくなり、循環風路内を流通し温度低下（または温度上昇）した冷暖房空気を再度加熱（または冷却）することができ、温冷能力が向上する。したがって、さらに大空間に施工しても放射面の温度分布ムラが生じないようにすることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における放射冷暖房システムと冷暖房空気の流れを示す斜視図である。
【００１６】
図１において、放射冷暖房システム１は中央で放射冷暖房システム１ａと放射冷暖房システム１ｂの２台に分割されている。また、放射冷暖房システム１の両端部に設けたヘッダー２ａ、ヘッダー２ｂの内部中央に、それぞれ熱源３と送風手段４を配設している。熱源３と送風手段４は互いに対向する位置に配設されている。
【００１７】
熱源３から吹き出した冷暖房空気はヘッダー２ａから冷暖房循環風路５ａを通過して、ヘッダー２ｂへ導入され、送風手段４で冷暖房空気の流速を上げて、冷暖房空気循環風路５ｂを通過し、ヘッダー２ａ、熱源３へと循環する。
【００１８】
このように構成することで、冷暖房空気循環風路５ａ、５ｂの曲がり箇所に設けられたヘッダー２ｂで一旦、流れ方向が変わるために流速が低下した冷暖房空気の流速を、早くすることができ、冷暖房空気が循環しやすくなる。また風路内の空気のよどみを防止し、放射面６は均一な温度分布となり、放射で快適な室内環境を得ることができる。
【００１９】
（実施の形態２）
図２は、本発明の第２の実施の形態における放射冷暖房システムと冷暖房空気の流れを示す斜視図である。
【００２０】
図２において、放射冷暖房システム１１は中央で放射冷暖房システム１１ａと放射冷暖房システム１１ｂの２台に分割されている。また、放射冷暖房システム１１のヘッダー１２ａ、ヘッダー１２ｂの内部中央に、それぞれ熱源１３とその対面にもう１台の熱源１４を配設している。
【００２１】
熱源１３から吹き出した冷暖房空気はヘッダー１２ａから冷暖房循環風路１５ａを通過して、ヘッダー１２ｂへ導入される。冷暖房空気は熱源１４で、循環風路内１５ａを流通し温度低下（または温度上昇）した冷暖房空気を再度加熱（または冷却）するとともに、熱源１４に組み込まれた送風機で冷暖房空気の流速を上げて、冷暖房空気循環風路１５ｂを通過し、ヘッダー１２ａ、熱源１３へと循環する。このように構成することで、上記効果に加え、循環風路内を流通し温度低下（または温度上昇）した冷暖房空気を再度加熱（または冷却）することができ、温冷能力を向上することができる。したがって、大空間に施工しても放射面の温度分布ムラが生じないようにすることができる。さらに、放射で快適な室内環境を得ることができる。
【００２２】
冷暖房空気が循環しやすくなり風路内の空気のよどみを防止し、放射面１６は均一な温度分布となり、放射で快適な室内環境を得ることができる。
【産業上の利用可能性】
【００２３】
以上のように、本発明にかかる放射冷暖房システムは、快適な温熱環境を形成するもので、住宅の放射冷暖房システムだけでなくオフィスや店舗等の放射冷暖房システムの用途にも適用できる。
【図面の簡単な説明】
【００２４】
【図１】本発明の実施の形態１における放射冷暖房システムと冷暖房空気の流れを示す斜視図
【図２】本発明の実施の形態２における放射冷暖房システムと冷暖房空気の流れを示す斜視図
【図３】従来の放射冷暖房システムと冷暖房空気の流れを示す斜視図
【符号の説明】
【００２５】
１、１ａ，１ｂ、１１、１１ａ、１１ｂ、１００  放射冷暖房システム
２ａ、２ｂ、１２ａ、１２ｂ  ヘッダー
３、１３、１４、１１０  熱源  
４  送風手段
５ａ、５ｂ、１５ａ、１５ｂ、１４０  冷暖房空気循環風路  
６、１６、１７０  放射面  
１２０  吹き出しダクト
１６０  吸込みダクト
１３０  入口側ヘッダー  
１５０  出口側ヘッダー
【図１】
2008157519.tif 000003
【図２】
2008157519.tif 000004
【図３】
2008157519.tif 000005